(57)【要約】【課題】位置ずれを吸収することができ、端子（コンタクト）の半田部分の剥離を防止する。【解決手段】相手方配線基板のコネクタ及び端子を収容するボックス状のコネクタが配設された可動ハウジング４と、この可動ハウジング４を変位可能に取り付けた固定ハウジング１と、この固定ハウジング１に固定された配線基板２と、この配線基板２に半田付けされ固定ハウジング１内に位置して前記ボックス状のコネクタ６と接合された端子５とを備えた配線基板用コネクタにおいて、前記配線基板２に半田付けされた端子５を逆Ｕ字状、続いてＵ字状に折り曲げて、基部５ｅから折曲部５ｄを介して延長部５ｃに続き、延長部５ｃの下端を折り曲げて折曲部５ｂから先端まで接触ばね片５ａに形成し、この接触ばね片５ａに前記ボックス状のコネクタ６を接合した。【選択図】図４
2007305529.tif 000002
【特許請求の範囲】
【請求項１】
相手方配線基板のコネクタ及び端子を収容するボックス状のコネクタが配設された可動ハウジングと、この可動ハウジングを変位可能に取り付けた固定ハウジングと、この固定ハウジングに固定された配線基板と、この配線基板に半田付けされ固定ハウジング内に位置して前記ボックス状のコネクタと接合された端子とを備えた配線基板用コネクタにおいて、
前記配線基板に半田付けされた端子を逆Ｕ字状、続いてＵ字状に折り曲げて、基部から折曲部を介して延長部に続き、延長部の下端を折り曲げて折曲部から先端まで接触ばね片に形成し、この接触ばね片に前記ボックス状のコネクタを接合したことを特徴とする配線基板用コネクタ。
【請求項２】
前記端子の形成材料として、ＭＳＰ１を使用したことを特徴とする請求項１に記載の配線基板用コネクタ。
【発明の詳細な説明】
【技術分野】
【０００１】
本発明は、配線基板用コネクタに関する。
【背景技術】
【０００２】
従来の配線基板用コネクタとしては、一方の配線基板にポスト受け用のコネクタを複数設け、他方の配線基板にポストを持つコネクタを複数設け、ポストをポスト受けに嵌合して両コネクタを接続することにより、両配線基板を電気的機械的に接合したものが知られている。
【０００３】
上述した従来例では、両コネクタの取付位置が正確ではなく、誤差があると、ポストの位置とポストを挿入する孔の位置が合わず、両コネクタの接続が困難となり、基板同士を電気的機械的に接合することができないという不都合が生じていた。
【０００４】
複数のコネクタ同士の寸法誤差を吸収するとともに、用いるコネクタ自体の背が高くなって実装上問題を生じさせることのないように背が高くならないように工夫したものが開発された。例えば、図７ないし図９に示すように、ポスト１４…を挿入する挿入孔１０…を横２列に複数個穿設したハウジング１１を両側方向に移動自在に収納した枠状の外殻体１２と、ハウジング１１の浮き防止と外殻体１２のプリント基板への固定のための金具１３とを備え、ハウジング１１の各挿入孔１０は独立した角孔であって夫々の挿入孔１０にはコンタクト１５の接触ばね片１５ａをハウジング１１の下面側から上方向に向けて挿入してあり、挿入孔１０の上面開口よりポスト１４が挿入されたときに接触ばね片１５ａが、それに並行する内壁面方向にポスト１４を弾接して電気的に接続するようになっているものが知られている。前記コンタクト１５は、金属ばね材を折り曲げ形成されたもので、接触ばね片１５ａの下端の両側に設けた突起１５ｅを挿入孔１０の内壁に圧接することにより接触ばね片１５ａを挿入孔１０に圧入固定し、更に接触ばね片１５ａの下端より外側方へ延長した延長片を更にハウジング１１の外側壁面に並行するように逆Ｕ字状に折り曲げて、逆Ｕ字状ばね片１５ｂを形成し、この逆Ｕ字状ばね片１５ｂの外側辺の下端部を、外殻体１２の両側内側壁下部に各コンタクト１５に対応して設けた溝１６に圧入固定している。この際、逆Ｕ字状ばね片１５ｂの外側辺の下端部両側に突設した突起１５ｃが溝１６の両側内壁面に圧接することになる。
【０００５】
また、前述したコンタクト１５は更に逆Ｕ字状ばね片１５ｂの外側辺の下端を外側方へ延長してその延長片で、プリント基板のパターンにリフロー半田により固定接続するための端子１３ｄを構成している。外殻体１２の両端外面に設けた金具１３は両側脚の下端に設けた固定片１３ａによりプリント基板に対してリフロー半田で固定され、また、中央片より外殻体１２を貫通させて外殻体１２内に突出させた突片をハウジング１１の両端外面下部に突設した凸部の上方に位置させ、ハウジング１１の上方への動きを規制するようになっている。
【０００６】
上述のように構成された従来例のコネクタは各コンタクト１５の端子１５ｄ及び金具１３の固定片１３ａをリフロー半田でプリント基板のパターンに半田付けすることにより、プリント基板に実装される。別のプリント基板に設けたコネクタのポスト１４を接合するに際してコネクタの取付けピッチに誤差があった場合には、ハウジング１１をコンタクト１５の逆Ｕ字状ばね片１５ｂを撓ませながら側方に移動させて誤差を吸収し、ポスト１４の位置とハウジング１１の挿入孔１０との位置を合わせ、スムーズな挿入接合ができるようになっている（特許文献１参照）。
【特許文献１】特開平６−１６３１２５号公報（第３頁、図１）
【発明の開示】
【発明が解決しようとする課題】
【０００７】
特許文献１に記載の従来例は、逆Ｕ字状ばね片１５ｂを弾性変形させることでハウジング１１が左右に移動し、基板同士の誤差吸収を図っているものであるが、コンタクト１５をハウジング１１に組み付けるときに、コンタクト１５の変形が生じ易く、コンタクト１５の端子１５ｄ（半田部分）に大きな応力が作用するおそれがあった。
【０００８】
そこで、本発明は、コンタクト（端子）が大きく変形しても半田部分に直接大きな応力が生じないようにするとともに、簡易な構成でも両配線基板に設けた両コネクタの寸法誤差や基板同士の位置ずれを吸収できる配線基板用コネクタを提供することを目的とする。
【課題を解決するための手段】
【０００９】
上述の目的を達成するため、本発明は、相手方配線基板のコネクタ及び端子を収容するボックス状のコネクタが配設された可動ハウジングと、この可動ハウジングを変位可能に取り付けた固定ハウジングと、この固定ハウジングに固定された配線基板と、この配線基板に半田付けされ固定ハウジング内に位置して前記ボックス状のコネクタと接合された端子とを備えた配線基板用コネクタにおいて、前記配線基板に半田付けされた端子を逆Ｕ字状、続いてＵ字状に折り曲げて、基部から折曲部を介して延長部に続き、延長部の下端を折り曲げて折曲部から先端まで接触ばね片に形成し、この接触ばね片に前記ボックス状のコネクタを接合したものである。
【発明の効果】
【００１０】
本発明は、相手方配線基板のコネクタ及び端子を収容するボックス状のコネクタが配設された可動ハウジングと、この可動ハウジングを変位可能に取り付けた固定ハウジングと、この固定ハウジングに固定された配線基板と、この配線基板に半田付けされ固定ハウジング内に位置して前記ボックス状のコネクタと接合された端子とを備えた配線基板用コネクタにおいて、前記配線基板に半田付けされた端子を逆Ｕ字状、続いてＵ字状に折り曲げて、基部から折曲部を介して延長部に続き、延長部の下端を折り曲げて折曲部から先端まで接触ばね片に形成し、この接触ばね片に前記ボックス状のコネクタを接合したので、端子が大きく変形しても、すなわちＵ字状と逆Ｕ字状の各部分が撓んでも、その基板固定部分に直接大きな応力が生じない。そのため、端子の半田が剥離するおそれはなくなった。また、上述したような簡易な構成ではあるが、配線基板の位置ずれを吸収することができる。
【発明を実施するための最良の形態】
【００１１】
以下に、本発明の実施形態を図面を参照にして説明する。
【００１２】
図１及び図２において、従来の外殻体１２に相当する固定ハウジング１を配線基板２に固定金具３を介して固定し、この固定ハウジング１に可動ハウジング４を変位可能に取り付けてある。なお、図１及び図２の例は、自動車の内装パネルに組み付けられるハーネスに備えたジャンクションボックス（電気接続箱）と電子ユニットとの接合を示す。
【００１３】
前記配線基板２には、図３に示すような複数の端子（コンタクト）５を半田付けしてあり、この端子５は固定ハウジング１内に位置して相手方コネクタ（図示せず）及びオス端子（図示せず、メス・オス反対であってもよい）と接続されるボックス状のコネクタ６と機械的接合を図っている。前記端子５は、金属ばね材（好適にはＭＳＰ１）を逆Ｕ字状、続いてＵ字状に折り曲げ形成したものであり、先端部の接触ばね片５ａ、折曲部５ｂ、延長部５ｃ、折曲部５ｄ、基部５ｅを備えている。接触ばね片５ａには、相手方のコネクタと端子が接続されるコネクタ６を接合してある。コネクタ６に接続される相手方コネクタと端子との接合位置に寸法誤差が生じていた場合、図４に示すようにコネクタ６が端子５の接触ばね片５ａを基部５ｄ側へ押すと、端子５が弾性変形して取付位置の誤差を吸収する。
【００１４】
前記端子５をＭＳＰ１（マグネシウム入り銅合金）を材料として、厚み０．２ｍｍ、幅０．８ｍｍに形成し、縦弾性係数を１２５ＫＮ／ｎｍ２とした場合、図５の矢印方向から接触ばね片５ａに２Ｎの力を加えたとき、図６に示すように端子５は１ｍｍ変位した。
【図面の簡単な説明】
【００１５】
【図１】本発明実施形態の側面図。
【図２】図１の正面図。
【図３】端子とコネクタとの関係を示す図。
【図４】図３の端子が変形した状態の図。
【図５】端子の斜視図。
【図６】変形した端子の斜視図。
【図７】従来例を示す断面図。
【図８】従来例の斜視図。
【図９】従来例のコンタクトの斜視図。
【符号の説明】
【００１６】
１    固定ハウジング
２    配線基板
４    可動ハウジング
５    端子
５ａ  接触ばね片
５ｂ  折曲部
５ｃ  延長部
５ｄ  折曲部
５ｅ  基部
６    コネクタ
【図１】
2007305529.tif 000003
【図２】
2007305529.tif 000004
【図３】
2007305529.tif 000005
【図４】
2007305529.tif 000006
【図５】
2007305529.tif 000007
【図６】
2007305529.tif 000008
【図７】
2007305529.tif 000009
【図８】
2007305529.tif 000010
【図９】
2007305529.tif 000011